(57)【要約】【課題】  気密性を確保した合成樹脂製袋体用チャック及び合成樹脂製袋体を提供する。【解決手段】  雌爪３ａと雄爪３ｃとからなる再開閉可能な雌雄咬合型のチャック３において、雌雄咬合状態で前記雌爪３ａの袋体内側面３ｃに密接して袋体内外の通気を遮断する凸肉部９を前記雄爪３ｂの袋体内側に雄爪３ｂと並設した。スライダー４を装着して前記チャック３を袋体の開口部に設け、前記スライダー４によるチャック３の閉じ端部側におけるチャック３とサイドシール２とに渡る袋体隅角部に気密シール５を施した。【選択図】        図１
2007222435.tif 000002
【特許請求の範囲】
【請求項１】
雌爪と雄爪とからなる再開閉可能な雌雄咬合型の合成樹脂製袋体用チャックにおいて、雌雄咬合状態で前記雌爪の袋体内側面に密接して袋体内外の通気を遮断する凸肉部を前記雄爪の袋体内側に雄爪と並設したことを特徴とする合成樹脂製袋体用チャック。
【請求項２】
チャックにスライダーを装着し、このスライダーに形成されているスライダー脱落防止ガイドにより袋体内外の通気を遮断する凸肉部を雌爪の袋体内側面に圧接するようにした請求項１に記載の合成樹脂製袋体用チャック。
【請求項３】
袋体の開口部に雌雄咬合状態で前記雌爪の袋体内側面に密接して袋体内外の通気を遮断する凸肉部を前記雄爪の袋体内側に雄爪と並設したチャックを設けたことを特徴とする合成樹脂製袋体。
【請求項４】
袋体の開口部に雌雄咬合状態で前記雌爪の袋体内側面に密接して袋体内外の通気を遮断する凸肉部を前記雄爪の袋体内側に雄爪と並設し、スライダーで開閉するチャックを設け、前記スライダーによるチャックの閉じ端部側におけるチャックとサイドシールとに渡る袋体隅角部に気密シールを施したことを特徴とする合成樹脂製袋体。
【請求項５】
スライダーによるチャックの閉じ端部側にスライドしたスライダーを袋体隅角部の気密シールの範囲内で停止させるストッパをチャックに設けたことを特徴とする請求項４に記載の合成樹脂製袋体。
【発明の詳細な説明】
【技術分野】
【０００１】
本発明は、気密性を保持した合成樹脂製袋体用チャック及び合成樹脂製袋体に関するものである。
【背景技術】
【０００２】
図５で示すように、合成樹脂製袋体１の開口部には再開閉可能なチャック３は雌爪３ａと雄爪３ｂとからなる再開閉可能な雌雄咬合型のチャック３が設けられている。このチャック３は指先で開閉するものやスライダー４で開閉するものがある。この何れにしても雌雄咬合状態で雌雄爪３ａ、３ｂの袋体内側に隙間１１が存在し、チャック３の隙間を通して袋体内外が連通し通気状態となり気密性に難点があった。
【０００３】
また、図６で示すように開口部にスライダー４によって開閉されるチャック３を備えた合成樹脂製袋体において、前記スライダー４によるチャック３の閉じ端部には図７でも示すようにスライダー４内先端の開口ガイド８によってチャック３の端部を分離しているため、これによりチャック３の閉じ端部には袋体内外を連通する隙間７ができてエアーが出入りし気密性に難点があり、通気を嫌う内容物においては変質等の不具合をもたらしていた。    
【特許文献１】ＷＯ２００３−０２２６９７公報
【特許文献２】特開２００４−０８３０６８公報
【発明の開示】
【発明が解決しようとする課題】
【０００４】
本発明は、上記従来の問題点に鑑みて、気密性を確保した合成樹脂製袋体用チャック及び合成樹脂製袋体を提供することである。
【課題を解決するための手段】
【０００５】
上記の課題を解決するための本発明は、請求項１に記載の通り、開雌爪と雄爪とからなる再開閉可能な雌雄咬合型の合成樹脂製袋体用チャックにおいて、雌雄咬合状態で前記雌爪の袋体内側面に密接して袋体内外の通気を遮断する凸肉部を前記雄爪の袋体内側に雄爪と並設したことを特徴とするものである。
【０００６】
請求項２に記載の通り、上記チャックにスライダーを装着し、このスライダーに形成されているスライダー脱落防止ガイドにより袋体内外の通気を遮断する凸肉部を雌爪の袋体内側面に圧接するようにしたものである。
【０００７】
請求項３に記載の通り、袋体の開口部に雌雄咬合状態で前記雌爪の袋体内側面に密接して袋体内外の通気を遮断する凸肉部を前記雄爪の袋体内側に雄爪と並設したチャックを設けたことを特徴とする合成樹脂製袋体である。
【０００８】
請求項４に記載の通り、袋体の開口部に雌雄咬合状態で前記雌爪の袋体内側面に密接して袋体内外の通気を遮断する凸肉部を前記雄爪の袋体内側に雄爪と並設し、スライダーで開閉するチャックを設け、前記スライダーによるチャックの閉じ端部側におけるチャックとサイドシールとに渡る袋体隅角部に気密シールを施したことを特徴とする合成樹脂製袋体である。
【０００９】
請求項５に記載の通り、上記スライダーによるチャックの閉じ端部側にスライドしたスライダーを袋体隅角部の気密シールの範囲内で停止させるストッパをチャックに設けたことを特徴とする合成樹脂製袋体である。
【発明の効果】
【００１０】
本発明の合成樹脂製袋体用チャックによると、雌雄咬合状態で雌雄爪の袋体内側にできる隙間は凸肉部で埋まり、かつ雌爪の袋体内側面に凸肉部が密接することにより袋体内外の通気を遮断し気密性を確保する。また、本発明の合成樹脂製袋体用チャックを袋体の開口部に設けることにより気密性を確保した合成樹脂製袋体を適用することができる。さらに、スライダーで開閉する本発明の合成樹脂製袋体用チャックを袋体の開口部に設け、チャックの閉じ端部側における袋体隅角部に気密シールを施すことによりチャック自体の気密性とチャックの閉じ端部側における袋体隅角部に気密シールとにより気密性を確保したスライダー付き合成樹脂製袋体を提供することができる効果を有している。
【発明を実施するための最良の形態】
【００１１】
以下本発明を実施するための最良の形態を図面に基づいて説明する。図１において１は合成樹脂製の袋体であり、３は本発明によるチャックである。このチャック３は従来一般的な雌雄咬合型であり、雌爪３ａと雄爪３ｂとによって構成されている。
【００１２】
本発明のチャック３は、雌雄咬合状態で前記雌爪３ａの袋体内側面３ｃに密接して袋体内外の通気を遮断する凸肉部９を前記雄爪３ｂの袋体内側に雄爪３ｂと並設した構造である。
【００１３】
前記チャック３は指先にて開閉するものであるが、図２に示すようにスライダー４を上記チャック３に装着してスライダー脱落防止ガイド１０により袋体内外の通気を遮断する凸肉部９を雌爪３ａの袋体内側面３ｃに圧接するようにしたスライダー４でチャック３を開閉するようにした構造である。
【００１４】
本発明による上記構造のチャック３は、スライダー無し或いはスライダー付きチャックの何れにおいても、雌雄爪３ａ、３ｂの咬合状態で雌雄爪３ａ、３ｂの袋体内側にできる隙間は凸肉部９で埋まり、かつ雌爪３ａの袋体内側面３ｃに凸肉部９が密接及び圧接することにより袋体内外の通気を遮断し気密性を確保する。
【００１５】
従って、本発明によるチャック３を袋体１の開口部に設けることによりチャック３自体の気密性により袋体内外の通気を遮断した合成樹脂製袋体を提供することができる。
【００１６】
さらに、図３及び図４で示すように、両側がサイドシール２された合成樹脂製の袋体１開口部２の上端縁に本発明によるスライダー４付きのチャック３を設け、前記スライダー４によるチャック３の閉じ端部側におけるチャック３とサイドシール２とに渡る袋体隅角部に気密シール５を施す。
【００１７】
上記気密シール５は図示では三角形であるが、三角形に限定するものではなく、チャック３とサイドシール２とに渡る三角形の底辺を凹円弧状としたり、四角形などチャック３の閉じ端部における袋体内外を連通する隙間７が閉塞される形状であればよい。
【００１８】
また、前記スライダー４によるチャック３の閉じ端部側にスライドしたスライダー４を袋体隅角部の気密シール５の範囲内で停止させるストッパ６をチャック３に設ける。
【００１９】
前記ストッパ６は図４で示すように、スライダー４をチャック３に装着するために必要とするサイドシール２から幅Ｂをあけた位置に設けられることが望ましい。
【００２０】
前記チャック３の閉じ端部側におけるチャック３とサイドシール２とに渡る袋体隅角部に気密シール５が施されているため、チャック３自体の気密性に加えてスライダー４がストッパ６により気密シール５の範囲内で停止したチャック３の閉じ状態においてチャック３の端部に袋体内外を連通する隙間ができることがなく気密状態を保持する。
【００２１】
尚、スライダー４内先端には咬合したチャック３を分離するためのガイド８を有しているが、このガイド８の長さはチャック３の厚味相当であるから気密シール５に干渉することがなく気密シール５の範囲内で停止する。
【００２２】
このように、本発明はチャック３自体に気密性が確保され、また、このチャック３を開閉するスライダー４を用い、チャック３の閉じ端部側におけるチャック３とサイドシール２とに渡る袋体隅角部に気密シール５が施すことにより、チャック３と気密シール５との相乗効果によりチャック３の閉じ状態においてチャック３の端部に袋体内外を連通する隙間ができることがなく気密状態を一層保持することができる利点を有している。
【図面の簡単な説明】
【００２３】
【図１】本発明によるチャックの要部断面図
【図２】本発明によるスライダー付きチャックの要部断面図
【図３】本発明による袋体の正面図
【図４】本発明の要部拡大斜視図
【図５】従来のチャック示す断面図
【図６】従来のスライダー付きチャックを備えた袋体の斜視図
【図７】従来例のスライダー付きチャックの閉じ端部を袋体内側より視た図
【符号の説明】
【００２４】
１      袋体
２      サイドシール
３      チャック
３ａ    雌爪
３ｂ    雄爪
３ｃ    雌爪の袋体内側面
４      スライダー
５      気密シール
６      ストッパ
９      凸肉部
１０      スライダー脱落防止ガイド
【図１】
2007222435.tif 000003
【図２】
2007222435.tif 000004
【図３】
2007222435.tif 000005
【図４】
2007222435.tif 000006
【図５】
2007222435.tif 000007
【図６】
2007222435.tif 000008
【図７】
2007222435.tif 000009